(57)【要約】【課題】使用者に騒音や不快感を感じさせることなく、自動的に機能運転を行うことができる空気調和機を提供する。【解決手段】室内機に設けられた人体検知センサにより、人の在否を検知して運転を制御する空気調和器であって、  通常運転中、第１の所定時間前記人体検知センサにより人の不在を検知すると、通常運転時より能力向上させた換気運転、通常運転時より能力向上させた空気清浄運転、通常運転時より能力向上させた酸素富化運転の少なくとも一つを実施し、前記第１の所定時間より長い第２の所定時間前記人体検知センサにより人の不在が確認されると、フィルタ清掃、室内熱交換器の乾燥運転の少なくとも一つを実施する。【選択図】図３Ａ
2008224133.tif 000002
【特許請求の範囲】
【請求項１】
室内機に設けられた人体検知センサにより、人の在否を検知して運転を制御する空気調和器であって、
通常運転中、第１の所定時間前記人体検知センサにより人の不在を検知すると、通常運転時より能力向上させた換気運転、通常運転時より能力向上させた空気清浄運転、通常運転時より能力向上させた酸素富化運転の少なくとも一つを実施し、前記第１の所定時間より長い第２の所定時間前記人体検知センサにより人の不在が確認されると、フィルタ清掃、室内熱交換器の乾燥運転の少なくとも一つを実施することを特徴とする、空気調和器。
【請求項２】
通常運転時より能力向上させた換気運転、空気清浄運転、又は、酸素富化運転の各運転中に前記人体検知センサにより人の存在を検知した場合には、前記通常運転状態に復帰させることを特徴とする請求項１に記載の空気調和機。
【請求項３】
酸素濃度を検出可能なセンサと、
前記センサにより検出された酸素濃度が予め設定された酸素富化領域内になると、前記酸素富化運転を行う一方、前記センサにより検出された酸素濃度が前記酸素富化領域外になると、前記酸素富化運転を停止するように制御することを特徴とする、請求項１又は２に記載の空気調和機。
【請求項４】
空気清浄度を検出可能な汚れ検知センサと、
前記センサにより検出された空気清浄度が予め設定された空気清浄領域内になると、前記空気清浄運転を行う一方、前記センサにより検出された空気清浄度が前記空気清浄領域外になると、前記空気清浄運転を停止するように制御することを特徴とする、請求項１から３のいずれか１つに記載の空気調和機。
【発明の詳細な説明】
【技術分野】
【０００１】
本発明は、室内機に人の在否を検知する人体検知センサを設けた空気調和機に関し、特に室内における人の存在を検知して通常運転時とは異なる室内機の運転を制御する技術に関する。
【背景技術】
【０００２】
従来、空気調和機に、通常運転とは異なる様々な機能を持たせた空気調和機が提案されている。たとえば、空気清浄機能、換気機能または酸素富化空気供給機能を備えた空気調和機が開発され、近年の健康志向ブームもあり、これらの機能を備えた空気調和機が数多く実用化されている。この種の空気調和機は、室内の汚れを検知して、その検出値によりそれぞれの具備機能を運転・停止または運転量を調節し、室内を快適な環境に維持している。
【０００３】
また、エアフィルタのメンテナンスの手間を低減する目的で、フィルタ上を自在に移動可能な塵埃吸引部からフィルタ上の塵埃を吸引ファンにより吸引し、吸引ダクトを介して塵埃収納部に塵埃を収納して、フィルタの塵埃を自動的に清掃するという自動清掃機能付き空気調和機も提案されている（例えば、特許文献２参照。）。
【０００４】
さらに、空気調和機において冷房運転もしくは除湿運転をおこなった後に生じる結露水を原因とするカビなどの菌類の繁殖を防止するために、冷房運転もしくは除湿運転をおこなった後、自動的に送風運転もしくは暖房運転をおこない、空気調和機室内ユニット内部を乾燥させ、カビなどの菌類の成長を抑制するものが提案されている（例えば、特許文献３参照）。
【０００５】
【特許文献１】特開平６−３４７０８０号公報
【特許文献２】特開２００２−３４０３９５号公報
【特許文献３】特開平１０−６２０００号公報
【発明の開示】
【発明が解決しようとする課題】
【０００６】
しかしながら、上記の機能を持たせた空気調和機においては、これらの機能運転の動作を通常運転とは別に行う必要があり、これを使用者が実行させることによって行われることがほとんどであった。この作業は使用者が自ら操作して行う必要があり、この動作を忘れると、せっかくの機能が作用しなくなる。
【０００７】
また、たとえば、空気清浄機能、換気機能または酸素富化空気供給機能は通常運転と同時に行うことが可能であるが、通常運転時にこれを行うと、騒音の原因となる。また、例えば、空気が非常に汚れているような場合など、通常の運転時に併用して行う能力では、十分な効果が得られない場合があるが、これの能力向上を行うと、さらに騒音の原因となる。
【０００８】
本発明は、従来技術の有するこのような問題点に鑑みてなされたものであり、上記の機能をかつ使用者に騒音や不快感を感じさせることなく、自動的に行うことができる空気調和機を提供することを目的としている。
【課題を解決するための手段】
【０００９】
上記目的を達成するために、本発明のうちで請求項１に記載の発明は、室内機に設けられた人体検知センサにより、人の在否を検知して運転を制御する空気調和器であって、
通常運転中、第１の所定時間前記人体検知センサにより人の不在を検知すると、通常運転時より能力向上させた換気運転、通常運転時より能力向上させた空気清浄運転、通常運転時より能力向上させた酸素富化運転の少なくとも一つを実施し、前記第１の所定時間より長い第２の所定時間前記人体検知センサにより人の不在が確認されると、フィルタ清掃、室内熱交換器の乾燥運転の少なくとも一つを実施することを特徴とする。
【００１０】
また、請求項２に記載の発明は、通常運転時より能力向上させた換気運転、空気清浄運転、又は、酸素富化運転の各運転中に前記人体検知センサにより人の存在を検知した場合には、前記通常運転状態に復帰させることを特徴とする。
【００１１】
さらに、請求項３に記載の発明は、酸素濃度を検出可能なセンサと、
前記センサにより検出された酸素濃度が予め設定された酸素富化領域内になると、前記酸素富化運転を行う一方、前記センサにより検出された酸素濃度が前記酸素富化領域外になると、前記酸素富化運転を停止するように制御することを特徴とする。
【００１２】
また、請求項４に記載の発明は、空気清浄度を検出可能な汚れ検知センサと、
前記センサにより検出された空気清浄度が予め設定された空気清浄領域内になると、前記空気清浄運転を行う一方、前記センサにより検出された空気清浄度が前記空気清浄領域外になると、前記空気清浄運転を停止するように制御することを特徴とする。
【発明の効果】
【００１３】
本発明によれば、フィルタ清掃、室内熱交換器の乾燥運転、通常運転時より能力向上させた換気運転、通常運転時より能力向上させた空気清浄運転、通常運転時より能力向上させた酸素富化運転は音の発生が大きく、人の不在時に運転や能力向上運転を実施することで、使用者に騒音を聞かせることがない。なお、通常運転の換気運転、空気清浄運転、酸素富化運転は、空気調和機と並行運転されている能力の運転である。
【００１４】
また、フィルタ清掃は、空気調和機の運転によって塵埃の付着したフィルタから塵埃を除去するため、空気調和機の運転とは空気の流れが逆行するものであり、室内熱交換器の乾燥運転は、空気調和機の冷房運転によって結露等した熱交換器を乾かすために、暖房運転を行うものであり、人の存在時に運転すると使用者に不快感を感じさせる。すなわち、フィルタ清掃、室内熱交換器の乾燥運転は、空気調和機と同時に運転することはなく、空気調和機の運転を停止して行うため、人の不在時にこれらの運転を実施することで、使用者が意図している運転とは別の運転を行うことがないため、使用者に不快感を感じさせることがない。
【００１５】
なお、通常運転時より能力向上させた乾燥運転、空気清浄運転、酸素富化運転は、ファンの音などの騒音が大きくなり、耳障りとなるため、人が検知されたときには、元の静かな通常運転に戻すことで使用者に騒音を聞かせることがない。すなわち、人の存在を検知した場合には、各運転を通常運転時の運転状態に戻すことで、使用者に騒音を聞かせずに室内環境の良化（換気、空気清浄、酸素富化）を図ることができる。
【発明を実施するための最良の形態】
【００１６】
以下、本発明の実施の形態について、図面を参照しながら説明する。
一般家庭で使用される空気調和機は、図３Ｂに示すように、通常冷媒配管で互いに接続された室外機１と室内機２とで構成されており、図１及び図２は、本発明にかかる空気調和機の室内機を示している。
【００１７】
図３Ｂに示されるように、空気調和装置を構成する室外機１と室内機２は、冷媒ガスが循環するように冷媒配管（図示せず）で接続されている。室外機１は、圧縮機４３、熱交換器４４、及びファン４５を有するとともに、一室を隔してガス富化ユニット４６、減圧ポンプ４７等の酸素ガス富化装置の主な構成部材が設けられている。室内機２は、ファン８や熱交換器６を有するとともに、酸素ガス富化装置の吐出口４２が設けられている。酸素ガス富化装置の運転動作については、詳細は後述する。
【００１８】
室内機は、本体２と、本体２の前面開口部２ａを開閉自在の可動前面パネル（以下、単に前面パネルという）４を有しており、空気調和機停止時は、前面パネル４は本体２に密着して前面開口部２ａを閉じているのに対し、空気調和機運転時は、前面パネル４は本体２から離反する方向に移動して前面開口部２ａを開放する。なお、図１は前面パネル４が前面開口部２ａを閉じた状態を示しており、図２は前面パネル４が前面開口部２ａを開放した状態を示している。
【００１９】
図３Ａに示されるように、本体２の内部には、熱交換器６と、前面開口部２ａ及び上面開口部２ｂから取り入れられた室内空気を熱交換器６で熱交換して室内に吹き出すためのファン８と、熱交換した空気を室内に吹き出す吹出口１０を開閉するとともに空気の吹き出し方向を上下に変更する上下羽根１２と、空気の吹き出し方向を左右に変更する左右羽根（図示せず）とを備えており、前面開口部２ａの下方の本体２には、前面開口部２ａの吹出口１０側で開閉する中羽根１４が中羽根駆動機構１６を介して揺動自在に取り付けられている。さらに、前面パネル４上部は、その両端部に設けられた２本のアーム１８，２０を介して本体２上部に連結されており、アーム１８に連結された駆動モータ（図示せず）を駆動制御することで、空気調和機運転時、前面パネル４は空気調和機停止時の位置（前面開口部２ａの閉塞位置）から前方斜め上方に向かって移動する。また、上下羽根１２は、その両端部に設けられた２本のアーム２２，２４を介して本体２下部に連結されているが、その駆動方法については後述する。
【００２０】
図１（ｂ）及び（ｃ）に示されるように、前面パネル４の上部には、複数（例えば、五つ）のセンサユニット２６，２８，３０，３２，３４が前面パネル４の主平面から突出した状態で人体検知装置として取り付けられており、これらのセンサユニット２６，２８，３０，３２，３４は、図４に示されるように、センサホルダ３６に保持されている。なお、人体検知装置は、図１（ａ）に示されるようにカバー５で覆われており、図１（ｂ）はカバー５を取り外した状態を示している。
【００２１】
各センサユニット２６，２８，３０，３２，３４を前面パネル４の上部に設けたのは、図５（ａ）に示されるように、各センサユニット２６，２８，３０，３２，３４の視野範囲（後述する人体位置判別領域）を拡大して遠方視野を最大限確保するためである。また、図５（ｂ）に示されるように、運転開始時に前面パネル４を停止位置より前方に移動させることでより遠くまで視野範囲を確保することができるとともに、図５（ｃ）に示されるように、前面パネル４を停止位置より斜め上方に移動させることで視野範囲をさらに拡大することができる。なお、各センサユニット２６，２８，３０，３２，３４の位置は前面パネル４の上部に限定されるわけではなく、また、前面パネルが可動でない場合でも、人体検知装置を前面パネルの上部あるいは本体上部に取り付けることにより下部に取り付けた場合に比べ視野範囲を拡大することができる。
【００２２】
また、図５（ｄ）に示されるように、各センサユニット２６，２８，３０，３２，３４を前面パネル４の主平面から突出させて設けることで、各センサユニット２６，２８，３０，３２，３４をより前方に配置することができ、図５（ｂ）〜（ｄ）に示されるように、室内機の構成部（例えば、上下羽根１２や、前面開口部２ａを開放状態の前面パネル４など）による死角発生を防止して視野範囲を拡大させることができる。
【００２３】
本実施の形態では、各センサユニット２６，２８，３０，３２，３４は前面パネル４に設けられているので、前面パネル４が前面開口部２ａを開放状態としたときには前面パネル４に付随して移動することとなり、更に前方に突出することとなる。
【００２４】
また、センサユニット２６は、回路基板２６ａと、回路基板２６ａに取り付けられたレンズ２６ｂと、レンズ２６ｂの内部に実装された人体検知センサ（図示せず）とで構成されており、この構成は、他のセンサユニット２８，３０，３２，３４についても同様である。さらに、人体検知センサは、例えば人体から放射される赤外線を検知することにより人の在否を検知する赤外線センサにより構成されており、赤外線センサが検知する赤外線量の変化に応じて出力されるパルス信号に基づいて回路基板２６ａにより人の在否が判定される。すなわち、回路基板２６ａは人の在否判定を行う在否判定手段として作用する。以下、互いに対をなすセンサとレンズをセンサ・レンズ対という。
【００２５】
ここで、前後左右方向の検知領域を得るために、図６の側面図に示されるように任意の球Ｚの表面上にセンサユニット２６，２８，３０，３２，３４を配置することが考えられる。この場合、各センサユニット２６，２８，３０，３２，３４のセンサ・レンズ対の光軸は球Ｚの中心Ｐで交差し、ねじれの位置にない。室内機から見れば、球Ｚの表面上にセンサユニット２６，２８，３０，３２，３４が前後方向に飛び出した配置となるため、人体検知装置の小型化は困難である。
【００２６】
また、上記のようなセンサユニットの飛び出しを抑制するため、図７のように任意の球Ｚを任意の平面Ｘで切り取り、平面Ｘと各センサユニット２６，２８，３０，３２，３４の光軸（ねじれの位置でない）との交点に各センサユニット２６，２８，３０，３２，３４を配置することも考えられる。この場合、センサユニット２６，２８，３０，３２，３４の配置は図８の正面視に示されるように前後方向への飛び出しは少なくなるが、センサユニット２６と３０のように検知領域と室内機との距離の異なるセンサユニットの配置が縦横方向に分散してしまい、人体検知装置の小型化に限界がある。
【００２７】
そこで、本実施の形態においては、センサユニット２６，２８のセンサ・レンズ対の光軸は同一平面上にあり、センサユニット３０，３２，３４のセンサ・レンズ対の光軸は別の同一平面上にあるものの、センサユニット２６，２８のセンサ・レンズ対の光軸と、センサユニット３０，３２，３４のセンサ・レンズ対の光軸とは同一平面上にはなく、ねじれの位置となるようにそれぞれの回路基板２６ａ，２８ａ，３０ａ，３２ａ，３４ａを所定の角度に傾斜させてセンサホルダ３６に取り付けている。
【００２８】
このように検知領域と室内機との距離の異なるセンサユニットのセンサ・レンズ対の光軸をねじれの位置とすることで、図１および図２に示されるようにセンサユニット２６，２８，３０，３２，３４は横方向に略直線状に配置でき、人体検知装置の小型化が可能となる。
【００２９】
なお、室内機からセンサユニットの検知領域までの距離の異なるセンサユニットを横方向に略直線状に配置した例について説明したが、左右方向の異なるセンサユニットを室内機の高さ方向に略直線状に配置する場合も同様のことが言える。
【００３０】
以上のように本実施の形態によれば、室内機に設けられた複数のセンサユニット２６，２８，３０，３２，３４のうち、該センサユニットの視野エリアと空気調和機との距離が異なるセンサユニットのセンサ・レンズ対の光軸が互いにねじれの位置となるようにしたので、センサユニット２６，２８，３０，３２，３４が室内機の前面パネル４から飛び出さないように設置できるようになり、人体検知装置の小型化が可能となる。
【００３１】
また、センサユニット２６，２８，３０，３２，３４を略直線上に配置することで、センサユニット２６，２８，３０，３２，３４が縦横方向に分散することがなく、センサユニット２６，２８，３０，３２，３４の小型化が可能となる。
【００３２】
また、このようにセンサ・レンズ対の光軸がねじれの位置にある複数のセンサユニット２６，２８，３０，３２，３４を人体検知装置に設け、各センサ・レンズ対の光軸が視野方向に向くように配設したので、人体検知装置から見て距離方向に複数の検知領域と、左右方向に複数の検知領域を形成することができるとともに、集光効率が向上することでレンズの小型化が可能になる。
【００３３】
図９は、センサユニット２６，２８，３０，３２，３４で検知される人体位置判別領域を示しており、センサユニット２６，２８，３０，３２，３４は、それぞれ次の領域に人がいるかどうかを検知することができる。
センサユニット２６：領域Ａ＋Ｃ＋Ｄ
センサユニット２８：領域Ｂ＋Ｅ＋Ｆ
センサユニット３０：領域Ｃ＋Ｇ
センサユニット３２：領域Ｄ＋Ｅ＋Ｈ
センサユニット３４：領域Ｆ＋Ｉ
【００３４】
すなわち、本発明にかかる空気調和機の室内機においては、センサユニット２６，２８で検知できる領域と、センサユニット３０，３２，３４で検知できる領域が一部重なっており、領域Ａ〜Ｉの数よりも少ない数のセンサユニットを使用して各領域Ａ〜Ｉにおける人の在否を検知するようにしている。
【００３５】
また、少なくとも三つの人体検知センサを室内機の上部に取り付けることで、室内における人体の位置を室内機に対して遠近方向と左右方向、すなわち室内フロアのどこにいるのかを二次元的に把握することができる。図１０は三つの人体検知センサを設けた場合の検知される領域を示しており、図１０の例では、室内機の近傍の領域における人の在否が一つの人体検知センサで検知され、室内機から遠い領域における人の在否が二つの人体検知センサで検知される。
【００３６】
図９に戻って本実施の形態をさらに説明するが、以下の説明ではセンサユニット２６，２８，３０，３２，３４を第１のセンサ２６、第２のセンサ２８、第３のセンサ３０、第４のセンサ３２、第５のセンサ３４という。また、領域Ｃ，Ｄ，Ｅ，Ｆは二つのセンサで検知されるので、重なり領域というのに対し、重なり領域以外の領域（領域Ａ，Ｂ，Ｇ，Ｈ，Ｉ）は一つのセンサで検知されるので、通常領域という。また、重なり領域は、左の重なり領域Ｃ，Ｄと右の重なり領域Ｅ，Ｆに分けられる。
【００３７】
図１１は、第１乃至第５のセンサ２６，２８，３０，３２，３４を使用して、領域Ａ〜Ｉの各々に後述する領域特性を設定するためのフローチャートで、図１２は、第１乃至第５のセンサ２６，２８，３０，３２，３４を使用して、領域Ａ〜Ｉのどの領域に人がいるか否かを判定するフローチャートであり、これらのフローチャートを参照しながら人の位置判定方法について以下説明する。
【００３８】
ステップＳ１において、所定の周期Ｔ１（例えば、５秒）で左の重なり領域における人の在否がまず判定され、ステップＳ２において、所定の条件で所定のセンサ出力をクリアする。
【００３９】
表１は、左の重なり領域の判定方法を示しており、表１に示される三つの反応結果のいずれかに該当する場合は、第１のセンサ２６及び第３のセンサ３０の出力をクリアする。ここで、１は反応有り、０は反応無し、クリアは１→０にすることと定義する。
【００４０】
【表１】
2008224133.tif 000003
【００４１】
ステップＳ３では、上述した所定の周期Ｔ１で右の重なり領域における人の在否がさらに判定され、ステップＳ４において、所定の条件で所定のセンサ出力をクリアする。
【００４２】
表２は、右の重なり領域の判定方法を示しており、表２に示される三つの反応結果のいずれかに該当する場合は、第２のセンサ２８及び第５のセンサ３４の出力をクリアする。
【００４３】
【表２】
2008224133.tif 000004
【００４４】
また、表１及び表２に示される六つの反応結果のいずれかに該当する場合は、第４のセンサ３２の出力もクリアし、ステップＳ５に移行する。ステップＳ５においては、上述した所定の周期Ｔ１で通常領域における人の在否が表３に基づいて判定され、ステップＳ６において、全てのセンサ出力をクリアする。
【００４５】
【表３】
2008224133.tif 000005
【００４６】
さらに、図１３を参照して第１乃至第３のセンサ２６，２８，３０からの出力のみを使用して領域Ａ，Ｂ，Ｃにおける人の在否を判定する場合について説明する。
【００４７】
図１３に示されるように、時間ｔ１の直前の周期Ｔ１において第１乃至第３のセンサ２６，２８，３０がいずれもＯＦＦ（パルス無し）の場合、時間ｔ１において領域Ａ，Ｂ，Ｃに人はいないと判定する（Ａ＝０，Ｂ＝０，Ｃ＝０）。次に、時間ｔ１から周期Ｔ１後の時間ｔ２までの間に第１のセンサ２６のみＯＮ信号を出力し（パルス有り）、第２及び第３のセンサ２８，３０がＯＦＦの場合、時間ｔ２において領域Ａに人がいて、領域Ｂ，Ｃには人がいないと判定する（Ａ＝１，Ｂ＝０，Ｃ＝０）。さらに、時間ｔ２から周期Ｔ１後の時間ｔ３までの間に第１及び第３のセンサ２６，３０がＯＮ信号を出力し、第２のセンサ２８がＯＦＦの場合、時間ｔ３において領域Ｃに人がいて、領域Ａ、Ｂには人がいないと判定する（Ａ＝０，Ｂ＝０，Ｃ＝１）。以下、同様に周期Ｔ１毎に各領域Ａ，Ｂ，Ｃにおける人の在否が判定される。
【００４８】
実際には、第１乃至第５のセンサ２６，２８，３０，３２，３４を使用して、領域Ａ〜Ｉのどの領域に人が存在するかどうかの判定が行われるが、この判定結果に基づいて各領域Ａ〜Ｉを、人が良くいる第１の領域（良くいる場所）、人のいる時間が短い第２の領域（人が単に通過する領域、滞在時間の短い領域等の通過領域）、人のいる時間が非常に短い第３の領域（壁、窓等人が殆ど行かない非生活領域）とに判別する。以下、第１の領域、第２の領域、第３の領域をそれぞれ、生活区分Ｉ、生活区分II、生活区分IIIといい、生活区分Ｉ、生活区分II、生活区分IIIはそれぞれ、領域特性Ｉの領域、領域特性IIの領域、領域特性IIIの領域ということもできる。また、生活区分I（領域特性I）、生活区分II（領域特性II）を併せて生活領域（人が生活する領域）とし、これに対し、生活区分III（領域特性III）を非生活領域（人が生活しない領域）とし、人の在否の頻度により生活の領域を大きく分類してもよい。
【００４９】
この判別は、図１１のフローチャートにおけるステップＳ７以降で行われ、この判別方法について図１４及び図１５を参照しながら説明する。
【００５０】
図１４は、一つの和室とＬＤ（居間兼食事室）と台所とからなる１ＬＤＫのＬＤに本発明にかかる空気調和機の室内機を設置した場合を示しており、図１４における楕円で示される領域は被験者が申告した良くいる場所を示している。
【００５１】
上述したように、周期Ｔ１毎に各領域Ａ〜Ｉにおける人の在否が判定されるが、周期Ｔ１の反応結果（判定）として１（反応有り）あるいは０（反応無し）を出力し、これを複数回繰り返した後、ステップＳ７において、所定の空調機の累積運転時間が経過したかどうかを判定する。ステップＳ７において所定時間が経過していないと判定されると、ステップＳ１に戻る一方、所定時間が経過したと判定されると、各領域Ａ〜Ｉにおける当該所定時間に累積した反応結果を二つの閾値と比較することにより各領域Ａ〜Ｉをそれぞれ生活区分Ｉ〜IIIのいずれかに判別する。
【００５２】
長期累積結果を示す図１５を参照して、さらに詳述すると、第１の閾値及び第１の閾値より小さい第２の閾値を設定して、ステップＳ８において、各領域Ａ〜Ｉの長期累積結果が第１の閾値より多いかどうかを判定し、多いと判定された領域はステップＳ９において生活区分Ｉと判別する。また、ステップＳ８において、各領域Ａ〜Ｉの長期累積結果が第１の閾値より少ないと判定されると、ステップＳ１０において、各領域Ａ〜Ｉの長期累積結果が第２の閾値より多いかどうかを判定し、多いと判定された領域は、ステップＳ１１において生活区分IIと判別する一方、少ないと判定された領域は、ステップＳ１２において生活区分IIIと判別する。
【００５３】
図１５の例では、領域Ｅ，Ｆ，Ｉが生活区分Ｉとして判別され、領域Ｂ，Ｈが生活区分IIとして判別され、領域Ａ，Ｃ，Ｄ，Ｇが生活区分IIIとして判別される。
【００５４】
また、図１６は別の１ＬＤＫのＬＤに本発明にかかる空気調和機の室内機を設置した場合を示しており、図１７はこの場合の長期累積結果を元に各領域Ａ〜Ｉを判別した結果を示している。図１６の例では、領域Ｃ，Ｅ，Ｇが生活区分Ｉとして判別され、領域Ａ，Ｂ，Ｄ，Ｈが生活区分IIとして判別され、領域Ｆ，Ｉが生活区分IIIとして判別される。
【００５５】
なお、上述した領域特性（生活区分）の判別は所定時間毎に繰り返されるが、判別すべき室内に配置されたソファー、食卓等を移動することがない限り、判別結果が変わることは殆どない。
【００５６】
次に、図１２のフローチャートを参照しながら、各領域Ａ〜Ｉにおける人の在否の最終判定について説明する。
【００５７】
ステップＳ２１〜Ｓ２６は、上述した図１１のフローチャートにおけるステップＳ１〜Ｓ６と同じなので、その説明は省略する。ステップＳ２７において、所定数Ｍ（例えば、１５回）の周期Ｔ１の反応結果が得られたかどうかが判定され、周期Ｔ１は所定数Ｍに達していないと判定されると、ステップＳ２１に戻る一方、周期Ｔ１が所定数Ｍに達したと判定されると、ステップＳ２８において、周期Ｔ１×Ｍにおける反応結果の合計を累積反応期間回数として、１回分の累積反応期間回数を算出する。この累積反応期間回数の算出を複数回繰り返し、ステップＳ２９において、所定回数分（例えば、Ｎ＝４）の累積反応期間回数の算出結果が得られたかどうかが判定され、所定回数に達していないと判定されると、ステップＳ２１に戻る一方、所定回数に達したと判定されると、ステップＳ３０において、既に判別した領域特性と所定回数分の累積反応期間回数を元に各領域Ａ〜Ｉにおける人の在否を推定する。
【００５８】
なお、ステップＳ３１において累積反応期間回数の算出回数（Ｎ）から１を減算してステップＳ２１に戻ることで、所定回数分の累積反応期間回数の算出が繰り返し行われることになる。
【００５９】
表４は最新の１回分（時間Ｔ１×Ｍ）の反応結果の履歴を示しており、表４中、例えばΣＡ０は領域Ａにおける１回分の累積反応期間回数を意味している。
【００６０】
【表４】
2008224133.tif 000006
【００６１】
ここで、ΣＡ０の直前の１回分の累積反応期間回数をΣＡ１、さらにその前の１回分の累積反応期間回数をΣＡ２・・・とし、領域における過去の数回分の履歴（例えば、４回分）と生活区分と累積反応期間回数から人の在否を推定する。
【００６２】
次に、上述した人の在否判定から時間Ｔ１×Ｍ後には、同様に過去の４回分の履歴と生活区分と累積反応期間回数から人の在否の推定が行われる。
【００６３】
すなわち、本発明にかかる空気調和機の室内機においては、判別領域Ａ〜Ｉの数よりも少ない数のセンサを使用して人の在否を推定することから、所定周期毎の推定では人の位置を誤る可能性があるので、重なり領域かどうかに関わらず単独の所定周期では人の位置推定を行うことを避け、所定周期毎の領域判定結果を長期累積した領域特性と、所定周期毎の領域判定結果をＮ回分累積し、求めた各領域の累積反応期間回数の過去の履歴から人の所在地を推定することで、確率の高い人の位置推定結果を得るようにしている。
【００６４】
表５は、このようにして人の在否を判定し、Ｔ１＝５秒、Ｍ＝１２回に設定した場合の在推定に要する時間、不在推定に要する時間を示している。
【００６５】
【表５】
2008224133.tif 000007
【００６６】
このようにして、本発明にかかる空気調和機の室内機により空調すべき領域を第１乃至第５のセンサ２６，２８，３０，３２，３４により複数の領域Ａ〜Ｉに区分した後、各領域Ａ〜Ｉの領域特性（生活区分Ｉ〜III）を決定し、さらに各領域Ａ〜Ｉの領域特性に応じて在推定に要する時間、不在推定に要する時間を変更するようにしている。
【００６７】
すなわち、空調設定を変更した後、風が届くまでには１分程度要することから、短時間（例えば、数秒）で空調設定を変更しても快適性を損なうのみならず、人がすぐいなくなるような場所に対しては、省エネの観点からあまり空調を行わないほうが好ましい。そこで、各領域Ａ〜Ｉにおける人の在否をまず検知し、特に人がいる領域の空調設定を最適化している。
【００６８】
詳述すると、生活区分IIと判別された領域の在否推定に要する時間を標準として、生活区分Ｉと判別された領域では、生活区分IIと判別された領域より短い時間間隔で人の存在が推定されるのに対し、その領域から人がいなくなった場合には、生活区分IIと判別された領域より長い時間間隔で人の不存在を推定することにより、在推定に要する時間を短く、不在推定に要する時間は長く設定されることになる。逆に、生活区分IIIと判別された領域では、生活区分IIと判別された領域より長い時間間隔で人の存在が推定されるのに対し、その領域から人がいなくなった場合には、生活区分IIと判別された領域より短い時間間隔で人の不存在を推定することにより、在推定に要する時間を長く、不在推定に要する時間は短く設定されることになる。さらに、前述のように長期累積結果によりそれぞれの領域の生活区分は変わり、それに応じて、在推定に要する時間や不在推定に要する時間も可変設定されることになる。
【００６９】
また、各領域Ａ〜Ｉにおける空調設定に応じて、ファン８の回転数制御及び上下羽根１２と左右羽根の風向制御が行われるが、これらの制御について以下説明する。
【００７０】
暖房時の風向制御は、人がいると判定された領域における人の足元手前に風向きを制御することで足元近傍に温風を到達させ、冷房時の風向制御は、人の頭上上方に風向きを制御することで頭上上方に冷風を到達させる。風向きはファン８の回転数と、上下羽根１２あるいは左右羽根の角度により調節する。
【００７１】
図１８は、上下羽根１２の回転制御を示しており、空気調和機停止時には、図１８（ａ）に示されるように、前面パネル４と上下羽根１２と中羽根１４は全て閉塞した状態にある。なお、図１８においては、上下羽根１２の回転制御を説明することを目的とするため、一部の構成の記載を省略している。
【００７２】
冷房時は、吹き出し空気（冷風）を人の頭上上方に到達させるため（冷房天井気流）、図１８（ａ）に示される状態から図１８（ｂ）に示される状態を経て図１８（ｃ）に示される状態に至る。まず、アーム１８，２０が駆動制御されて前面パネル４が前面開口部２ａから離反するとともに、アーム２２，２４が駆動制御されて上下羽根１２が吹出口１０から離反する。
【００７３】
図１８（ｃ）の状態では、吹出口１０から吹き出される空気は、上下羽根１２により水平方向に導かれるが、上下羽根１２の下流側端部が上方へ湾曲しているため、部屋の遠方まで空気を送ることができる。この時、吹出口１０の上方、すなわち前面パネル４の下方は中羽根１４により閉塞されており、吹出口１０から吹き出した空気の一部が前面開口部２ａに導かれることはない。
【００７４】
一方、暖房時は、吹き出し空気（温風）を人の足元近傍に到達させるため（暖房足元気流）、図１８（ａ）に示される状態から図１８（ｂ）に示される状態を経て図１８（ｄ）に示される状態に至る。図１８（ｄ）の状態では、吹出口１０から吹き出される空気は、上下羽根１２により斜め下方に導かれるが、上下羽根１２の下流側端部が本体側へ湾曲しているため、部屋の上方に溜まりやすい暖かい空気を部屋の下方に送ることができる。
【００７５】
なお、図１８（ｅ）は、安定前の冷房時に利用され、吹き出し空気は人体に向けられる（人体向け気流）。
【００７６】
図１９は、各領域Ａ〜Ｉの空調を行う場合のファン８の設定回転数を示しており、Ａ１，Ａ２，Ａ３は室内機からそれぞれ近距離、中距離、長距離にある領域の基準回転数で、Ａ４は距離が同じ場合の領域の違いによる回転数差分であり、例えばそれぞれ次のように設定される。
Ａ１：８００ｒｐｍ（暖房時）、７００ｒｐｍ（冷房時）
Ａ２：１０００ｒｐｍ（暖房時）、９００ｒｐｍ（冷房時）
Ａ３：１２００ｒｐｍ（暖房時）、１１００ｒｐｍ（冷房時）
Ａ４：１００ｒｐｍ（冷暖共通）
【００７７】
ここで、各領域における室内機からの距離、室内機正面からの角度、高低差等、室内機との位置関係を表す表現として、相対位置という表現を導入する。
【００７８】
また、各領域において空調がし易い、空調がし難い度合いを空調要求度という表現により表し、空調要求度が高いほど空調がよりし難い、空調要求度が低いほど空調がよりし易いとする。例えば、室内機からの距離が遠いほど吹き出し空気が届き難く空調がし難いので空調要求度が高くなる。即ち、空調要求度と室内機からの相対位置には密接な関連性があり、本実施の形態では、室内機からの相対位置に応じて空調要求度を定める。
【００７９】
したがって、各領域Ａ〜Ｉの空調を行う場合のファン８の設定回転数は、空調要求度が高いほど高く設定されることを意味している。すなわち、空調すべき領域の位置が室内機より遠いほどファン８の設定回転数は高く設定されるとともに、室内機からの距離が同じ場合には室内機の正面より左右にずれた領域ほどファン８の設定回転数は高く設定される。また、空調すべき領域が一つの場合、その領域の設定回転数（風量）に設定され、空調すべき領域が複数の場合、空調要求度が高い領域の設定回転数に設定される。
【００８０】
また、図２０は、暖房時の上下羽根１２と左右羽根の設定角度を示しており、Ｂ１，Ｂ２，Ｂ３は室内機からそれぞれ近距離、中距離、長距離にある領域の基準上下羽根角度で、Ｂ４は距離が同じ場合の領域の違いによる上下羽根の角度差分であるのに対し、Ｃ１及びＣ２は左右領域の基準左右羽根角度（左回りが正方向）で、Ｃ３及びＣ４は領域の違いによる左右羽根の角度差分であり、例えばそれぞれ次のように設定される。なお、上下羽根１２の角度とは、羽根が上に凸の状態で羽根の前後端を結んだ線が水平の場合を０°とし、この位置を基準にして反時計方向に計測した場合の角度のことである。
Ｂ１：７０°
Ｂ２：５５°
Ｂ３：４５°
Ｂ４：１０°
Ｃ１：０°
Ｃ２：１５°
Ｃ３：３０°
Ｃ４：４５°
【００８１】
すなわち、室内機に近い領域ＡあるいはＢの暖房を行う場合、上下羽根１２は、第１の角度（例えば、７０°）に設定されるとともに、ファン８の回転数は第１の回転数（例えば、８００ｒｐｍ）に設定され、領域ＡあるいはＢにおける室内機側の縁部（人の足元手前）に風向を制御し、足元近傍に温風を到達させるようにしている。また、室内機から中距離にある領域Ｃ，Ｄ，ＥあるいはＦの暖房を行う場合、上下羽根１２は、第１の角度より小さい第２の角度（例えば、５５°）に設定されるとともに、ファン８の回転数は第１の回転数より高い第２の回転数（例えば、１０００ｒｐｍ）に設定され、領域Ｃ，Ｄ，ＥあるいはＦにおける室内機側の縁部（人の足元手前）に風向を制御し、足元近傍に温風を到達させるようにしている。さらに、室内機から最も遠い領域Ｇ，ＨあるいはＩの暖房を行う場合、上下羽根１２は、第２の角度より小さい第３の角度（例えば、４５°）に設定されるとともに、ファン８の回転数は第２の回転数より高い第３の回転数（例えば、１２００ｒｐｍ）に設定され、領域Ｇ，ＨあるいはＩにおける室内機側の縁部（人の足元手前）に風向を制御し、足元近傍に温風を到達させるようにしている。
【００８２】
図２１は、立ち上がりあるいは不安定領域の冷房時の上下羽根１２と左右羽根の設定角度を示しており、Ｅ１，Ｅ２，Ｅ３は室内機からそれぞれ近距離、中距離、長距離にある領域の基準上下羽根角度で、Ｅ４は距離が同じ場合の領域の違いによる上下羽根の角度差分であるのに対し、Ｆ１及びＦ２は左右領域の基準左右羽根角度（左回りが正方向）で、Ｆ３及びＦ４は領域の違いによる左右羽根の角度差分であり、例えばそれぞれ次のように設定される。なお、立ち上がりとは、空気調和機の運転開始時のことで、不安定領域とは、現在の室内の空調状態が、設定した条件（例えば設定温度）になっていない状態のことである。
Ｅ１：５０°
Ｅ２：３５°
Ｅ３：２５°
Ｅ４：１０°
Ｆ１：０°
Ｆ２：１５°
Ｆ３：２５°
Ｆ４：３５°
【００８３】
また、図２２は、安定領域の冷房時の上下羽根１２と左右羽根の設定角度を示しており、Ｈ１は天井気流の場合の基準上下羽根角度で、Ｈ２はにがし気流の場合の基準上下羽根角度で、Ｈ３は距離の違いによる上限羽根角度差分であるのに対し、Ｉ１及びＩ２は左右領域の基準左右羽根角度（左回りが正方向）で、Ｉ３及びＩ４は領域の違いによる左右羽根の角度差分であり、例えばそれぞれ次のように設定される。なお、安定領域とは、現在の室内の空調状態が、設定した条件（例えば設定温度）になっている状態のことである。
Ｈ１：１８０°
Ｈ２：１９０°
Ｈ３：５°
Ｉ１：０°
Ｉ２：１５°
Ｉ３：２５°
Ｉ４：３５°
【００８４】
ここで、天井気流とは、図１８（ｃ）に示されるように、上下羽根１２を吹出口１０の下部に位置させて吹き出し風を全て羽根の凹面で受けて風を送り出した場合の気流のことであり、にがし気流とは、上下羽根１２を天井気流時より多少上部に位置させて、吹き出し風の一部（微量）を羽根の凸面側（羽根の下方）にも流し羽根凸面に結露が発生しにくい状態にして風を送り出した場合の気流のことである。
【００８５】
室内機に近い領域ＡあるいはＢの冷房を行う場合、上下羽根１２は、水平より所定角度（例えば、５°）だけ下方に設定され、ファン８の回転数は第１の回転数（暖房時の第１の回転数より少ない回転数で、例えば、７００ｒｐｍ）に設定され、領域ＡあるいはＢの頭上上方に冷風を到達させ、冷気がシャワー状に落ちてくるように設定されている。また、室内機から中距離にある領域Ｃ，Ｄ，ＥあるいはＦの冷房を行う場合、上下羽根１２は、略水平に設定され、ファン８の回転数は第１の回転数より高い第２の回転数（暖房時の第２の回転数より少ない回転数で、例えば、９００ｒｐｍ）に設定され、領域Ｃ，Ｄ，ＥあるいはＦの頭上上方に冷風を到達させるように設定されている。さらに、室内機から最も遠い領域Ｇ，ＨあるいはＩの冷房を行う場合、上下羽根１２は、水平より所定角度（例えば、５°）だけ上方に設定され、ファン８の回転数は第２の回転数より高い第３の回転数（暖房時の第３の回転数より少ない回転数で、例えば、１１００ｒｐｍ）に設定され、領域Ｇ，ＨあるいはＩの頭上上方に冷風を到達させるように設定されている。
【００８６】
次に、空調すべき領域の数に応じて行われる風向制御について図２３のフローチャートを参照しながら説明する。
【００８７】
空気調和機の運転開始後、ステップＳ４１において、領域Ａ〜Ｉにおける人の在否判定がまず行われ、ステップＳ４２において、人がいると判定された領域が一つ、すなわち空調すべき領域が一つの場合、ステップＳ４３において、その領域に応じて設定された風量、風向に基づいて空調が行われる。ステップＳ４２において、空調すべき領域が一つではないと判定されると、ステップＳ４４において、空調すべき領域が二つかどうかを判定し、空調すべき領域が二つの場合、ステップＳ４５に移行する。
【００８８】
ステップＳ４５においては、風量は空調要求度の高い領域の設定風量に設定され、二つの領域の配置モードを図２４に示されるように五つのモードのいずれかに識別し、次のステップＳ４６において、識別されたモードに応じて表６のように制御する。
【表６】
2008224133.tif 000008
【００８９】
ここで、モード１は中距離であり、かつ室内機正面をはさんで隣接する２領域の場合を表し、モード２は室内機との角度が略一致し、前後関係に隣接する２領域の場合を表している。また、モード３は室内機との角度が略一致し、前後関係に離間する２領域の場合を表し、モード４は室内機との距離が略一致し、角度が異なる２領域の場合を表し、モード５は離間する２領域、換言すれば室内機との距離も角度も異なる２領域の場合を表している。
【００９０】
モード１〜４の上下風向は、暖房時は要求度の低い領域に固定される一方、冷房時は要求度の高い領域に固定される。また、モード５の上下風向は、上下羽根１２の動作を制御して、二つの領域（第１及び第２の領域）のうち、第１の領域に所定時間停留（角度固定）した後、第２の領域に向かって風向を変え、第２の領域に所定時間停留した後、第１の領域向かって風向を変える動作を繰り返す。なお、各領域の停留時間は、例えば室内機からの距離に応じてそれぞれ設定され、室内機からの距離が遠いほど停留時間を長くするのが好ましい。
【００９１】
また、モード１の左右風向は、隣接した二つの領域の中央に固定され、モード２及び３の場合、二つの領域が室内機から見て距離の異なる略同一方向にあると見なして、その左右風向は、要求度の高い領域に固定される。さらに、モード４及び離間する二つの領域の配置からなるモード５の左右風向は、上下羽根１２の制御と同様に左右羽根の動作を制御して、第１の領域に所定時間停留した後、第２の領域に向かって風向を変え、第２の領域に所定時間停留した後、第１の領域に向かって風向を変える動作を繰り返す。なお、各領域の停留時間は、各領域に対する室内機からの相対位置、例えば室内機正面からの角度に応じてそれぞれ設定され、室内機正面からの角度が大きいほど停留時間を長くするのが好ましい。
【００９２】
また、ステップＳ４４において空調すべき領域が二つではないと判定されると、ステップＳ４７において、空調すべき三つ以上の領域をその配置に応じて通常モードと特殊モードの二つのモードのいずれかに判定する。ここで、特殊モードは、中距離であり、かつ室内機正面をはさんで隣接する２領域と、遠距離であり、かつ室内機正面に位置する１領域、計３領域の場合を表し、それを除く三つ以上の領域の場合を通常モードと表す。空調すべき領域が三つ以上の場合、風量は空調要求度の最も高い領域の設定風量に設定され、ステップＳ４７において、図２１（ａ）に示される特殊モード（中央隣接）と判定されると、ステップＳ４８において、風向は図２０のモード１と同様に設定される。
【００９３】
一方、ステップＳ４７において、特殊モードではないと判定されると、ステップＳ４９において、図２５（ｂ）あるいは（ｃ）に示される通常モードの制御が行われ、上下風向は、室内機に最も近い領域の上下羽根１２の設定角度と、室内機に最も遠い領域の上下羽根１２の設定角度との間で上下羽根１２の角度を変更する。
【００９４】
また、通常モードの場合の左右風向は、両端の領域（図２５（ｂ）では領域ＣとＩ、図２５（ｃ）では領域ＣとＨ）における左右羽根の設定角度を左端角度及び右端角度に設定して、左端角度に所定時間停留した後、右端側の領域に向かって風向を変え（スイング）、右端角度に所定時間停留した後、左端側の領域に向かって風向を変える動作（スイング）を繰り返す。なお、スイング時の左右羽根の作動速度は、上述したモード４及び５における左右羽根の作動速度より遅く設定される。また、左端角度あるいは右端角度における停留時間は、例えば室内機正面からの角度に応じてそれぞれ設定され、室内機正面からの角度が大きいほど停留時間を長くするのが好ましい。
【００９５】
なお、ステップＳ４３，Ｓ４６，Ｓ４８あるいはＳ４９においてそれぞれの空調制御が行われた後、ステップＳ４１に戻る。
【００９６】
また、室内機が図１４に示されるように配置された場合、第１乃至第５のセンサ２６，２８，３０，３２，３４を使用して室内機が左側壁の近傍に設置されたと判定し、左側壁より右側に位置する領域のみ左右羽根の作動制御を行うこともできる。この場合、第１乃至第５のセンサ２６，２８，３０，３２，３４で構成される人体検知装置は室内機の設置位置自動認識手段として作用する。
【００９７】
なお、室内機の設置位置自動認識手段としてのセンサは少なくとも二つ設ければよく、図４において光軸が同一平面上にある第１及び第２のセンサ２６，２８を設けた場合を例に取り、さらに説明する。
【００９８】
二つのセンサ２６，２８を設けた場合、二つのセンサ２６，２８からの周期Ｔ１毎の出力を所定時間（例えば、３〜４時間）累積し、この累積した反応結果を一つの閾値と比較することにより二つの領域は生活領域と非生活領域あるいは二つの生活領域に区分される。なお、比較される閾値は、例えば上述した第２の閾値であってもよい。
【００９９】
室内機を左側壁の近傍（例えば１ｍ以内）に設置した図２６の例では、領域Ａは非生活領域と判定され、領域Ｂは生活領域と判定されるのに対し、室内機を右側壁の近傍（例えば１ｍ以内）に設置した場合には、室内機の正面から左側の領域が生活領域と判定され、室内機の正面から右側の領域が非生活領域と判定される。また、室内機を壁の中央に設置した場合には、室内機の正面から左側及び右側の領域は両方とも生活領域と判定される。
【０１００】
このように室内機の設置位置を自動的に認識することで、生活領域のみの空調を行うことができるように空気調和機の上下方向の風向制御手段や左右方向の風向制御手段の作動制御を行えばよい。本実施の形態の壁掛け型室内機では、風向制御手段である上下羽根や左右羽根の作動制御を行う。
【０１０１】
また、室内機が側壁近くに設置されている場合、吹出口１０から吹き出される風によりカーテンが揺れると、人体検知センサがカーテンを人と誤検知して人がいる方向に風が流れなかったり、人がいないのに人がいると誤判定する等の問題がある。
【０１０２】
しかしながら、第１及び第２のセンサ２６，２８により構成される人体検知装置は、図２６に示されるように、第１のセンサ２６が領域Ａにおける人の在否を検知する一方、第２のセンサ２８が領域Ａとは重ならないように分離された領域Ｂにおける人の在否を検知する。したがって、領域Ａ及びＢは、第１のセンサ２６の光軸と第２のセンサ２８の光軸との間に位置する中心線を境に近接して分離されており、この人体検知装置を室内機に設けた場合、領域Ａ及び領域Ｂは室内機の正面より左右に分離しており、互いに重なることがない領域Ａ及び領域Ｂにおけるセンサの検知反応を所定時間それぞれ累積した結果を基に生活領域と非生活領域の区別を確実に行うことができる。ここで、生活領域と非生活領域の区別を行うことにより、非生活領域でセンサの検知反応が有った場合に、非生活領域に対して風向制御を行わない。換言すれば、この場合、生活領域のみの風向制御となる。これによって、生活領域に人がいる場合に、もし非生活領域でカーテンの揺れ等のイレギュラーな反応を検知しても人以外の反応と判定し、非生活領域に風が流れないように風向を制御することで、人がいる生活領域の快適性が損なわれるのを防止することができる。また、室内から人がいなくなった場合においても、もし非生活領域でカーテンの揺れ等のイレギュラーな反応を検知しても人以外の反応と判定し、人がいると誤判定するのを防止することができる。
【０１０３】
また、図４に示される第３のセンサ３２を人体検知装置に設けて、図２７に示されるように、第１のセンサ２６の光軸と第２のセンサ２８の光軸との間に位置する中心線の両側にまたがる領域Ｃにおける人の在否を検知することができ、領域Ｃに人がいると判定した場合、室内機の正面から見て右側の領域Ｃ２に人がいると推定でき、一つのセンサ３２を追加するだけで、左右にまたがる領域の左右のいずれの位置に人がいるかを判定できる。
【０１０４】
図２８は、六つのセンサからなる人体検知装置を室内機に設けて人体位置判別領域を複数の領域に区分し、室内機の正面から見て近接して左右に分離された二つの領域を二組配置した場合を示している。
【０１０５】
図２８に示される例では、領域ＡとＢあるいは領域ＤとＥが左右に近接して分離された領域を示しており、互いに重なることがない領域Ａ及びＢあるいは領域Ｄ及びＥにおけるセンサの検知反応を所定時間それぞれ累積した結果を基に生活領域と非生活領域の区別をより確実に行うことができる。
【０１０６】
（不在検知時の運転制御）
また、室内機にはタイマーが設けられており、このタイマーを使用して不在検知省エネ制御、切り忘れ防止制御及び各種の運転動作制御が行われる。この不在検知時の運転制御について以下説明する。
【０１０７】
まず、省エネ制御及び切り忘れ防止制御について、表７及び図２９を参照しながら、暖房時の制御について説明する。
【表７】
2008224133.tif 000009
【０１０８】
図２９は温度シフトの一例を示しており、ここでは設定温度Ｔsetを２８℃とし、目標温度（限界値）を２０℃とした場合について説明する。なお、ΔＴは設定温度Ｔsetと目標温度との差温である。
【０１０９】
第１乃至第５のセンサ２６，２８，３０，３２，３４により全ての領域Ａ〜Ｉに人がいないことが検知されると、タイマーがカウントを開始し、タイマーによるカウント開始後、時間ｔ１（例えば、１０分）において人の不在が確認されると、２℃（１／４ΔＴ）だけ設定温度Ｔsetを自動的に低減する。さらに、時間ｔ２（例えば、カウント開始後３０分）において人の不在が確認されると、２℃（１／４ΔＴ）だけ設定温度Ｔsetを自動的にさらに低減する。以下、同様に時間ｔ３（例えば、カウント開始後１時間）及び時間ｔ４（例えば、カウント開始後２時間）において人の不在が確認されると、それぞれ２℃（１／４ΔＴ）だけ設定温度Ｔsetを自動的に低減する。
【０１１０】
時間ｔ４においては、設定温度Ｔsetより合計８℃低減されて目標温度に等しい２０℃になっているので、時間ｔ５（例えば、カウント開始後４時間）までは設定温度Ｔsetを目標温度のまま維持するが、時間ｔ５においても依然として人の不在が確認されると、空気調和機の運転を停止して、空気調和機の切り忘れを防止する。
【０１１１】
なお、時間ｔ１から時間ｔ５までの間に人の存在が検知されると、時間ｔ１以前の設定温度Ｔsetに復帰させる。
【０１１２】
また、温度シフト幅（低減温度）は設定温度Ｔsetと目標温度との差温ΔＴに応じて表７のように設定され、差温ΔＴが小さいほど温度シフト幅も小さい。また、設定温度Ｔsetが目標温度より低い場合は、現状温度に維持されるが、時間ｔ５において人の不在が確認されると、空気調和機の運転を停止するのは図２９の例と同じである。
【０１１３】
次に、表８及び図３０を参照しながら、冷房時の制御について説明する。
【表８】
2008224133.tif 000010
【０１１４】
図３０は温度シフトの一例を示しており、ここでは設定温度Ｔsetを２０℃とし、目標温度（限界値）を２８℃とした場合について説明する。なお、ΔＴは設定温度Ｔsetと目標温度との差温である。
【０１１５】
第１乃至第５のセンサ２６，２８，３０，３２，３４により全ての領域Ａ〜Ｉに人がいないことが検知されると、タイマーがカウントを開始し、タイマーによるカウント開始後、時間ｔ１（例えば、１０分）において人の不在が確認されると、２℃（１／４ΔＴ）だけ設定温度Ｔsetを自動的に増大する。さらに、時間ｔ２（例えば、カウント開始後３０分）において人の不在が確認されると、２℃（１／４ΔＴ）だけ設定温度Ｔsetを自動的にさらに増大する。以下、同様に時間ｔ３（例えば、カウント開始後１時間）及び時間ｔ４（例えば、カウント開始後２時間）において人の不在が確認されると、それぞれ２℃（１／４ΔＴ）だけ設定温度Ｔsetを自動的に増大する。
【０１１６】
時間ｔ４においては、設定温度Ｔsetより合計８℃増大されて目標温度に等しい２８℃になっているので、時間ｔ５（例えば、カウント開始後４時間）までは設定温度Ｔsetを目標温度のまま維持するが、時間ｔ５においても依然として人の不在が確認されると、空気調和機の運転を停止して、空気調和機の切り忘れを防止する。
【０１１７】
なお、時間ｔ１から時間ｔ５までの間に人の存在が検知されると、時間ｔ１以前の設定温度Ｔsetに復帰させる。
【０１１８】
また、温度シフト幅（増大温度）は設定温度Ｔsetと目標温度との差温ΔＴに応じて表８のように設定され、差温ΔＴが小さいほど温度シフト幅も小さい。また、設定温度Ｔsetが目標温度より高い場合は、現状温度に維持されるが、時間ｔ５において人の不在が確認されると、空気調和機の運転を停止するのは図３０の例と同じである。
【０１１９】
図３１は、ファン８の風量（回転数）と室外機に設けられた圧縮機の能力を制御することにより省電力運転を達成する例を示している。
【０１２０】
すなわち、ファン８の風量を増大すると熱交換器６の熱交換効率が向上し、圧縮機の周波数が同じ場合には冷房あるいは暖房能力が増大するので、室内温度を同じ設定温度に保持するためには、圧縮機の周波数を低減することが可能となり、必要な消費電力は減少する。また、不在時にファン８の風量を増大しても気流が強すぎることによる不快感や、ファン８の騒音増大による快適性の問題が生じることはない。
【０１２１】
図３１（ａ）に示されるように、第１乃至第５のセンサ２６，２８，３０，３２，３４により全ての領域Ａ〜Ｉに人がいないことが検知されると、タイマーがカウントを開始し、タイマーによるカウント開始後、時間ｔ１（例えば、１０分）において人の不在が確認されると、図３１（ｂ）に示されるように、ファン８の風量を増大させるとともに、図３１（ｃ）に示されるように、圧縮機の周波数を段階的に時間ｔ２（例えば、カウント開始後３０分）まで減少させる。時間ｔ１経過後はファン８の風量は一定（限界値）に保持され、時間ｔ２経過後は圧縮機の周波数は一定（限界値）に保持されるが、時間ｔ２、時間ｔ３（例えば、カウント開始後１時間）、時間ｔ４（例えば、カウント開始後２時間）、時間ｔ５（例えば、カウント開始後４時間）において人の不在が継続して確認されると、時間ｔ５において空気調和機の運転を停止して、空気調和機の切り忘れを防止する。
【０１２２】
なお、時間ｔ１から時間ｔ５までの間に人の存在が検知されると、時間ｔ１以前の設定風量及び設定周波数に復帰させる。
【０１２３】
また、上述した図２９乃至図３１の例はいずれも、通常運転中、所定時間人がいない場合には、通常運転時より消費電力が少ない省電力運転を行うものであり、その後さらに所定時間人がいない場合には、空気調和機の運転を停止して省エネを達成している（「通常運転」とは、「使用者が指示した運転」）。
【０１２４】
さらに、不在が長時間継続しているにもかかわらず、温度変化を惹起するおそれのあるカーテン等の人以外の外乱を人体検知センサが誤検知した場合、不在（無人）状態で通常運転をいつまでも継続することも考えられるので、時間ｔ５より長い所定時間ｔ６（例えば、２４時間）経過すると運転を停止することで確実に切り忘れを防止することができる。また、時間ｔ５あるいは時間ｔ５より長い所定時間ｔ６経過後の運転停止直前には本体やリモコンに音声やＬＥＤランプ等で聴覚的あるいは視覚的に報知したり、画面に文字を表示するのが好ましい。さらに、時間ｔ５あるいは時間ｔ５より長い所定時間ｔ６経過後の自動運転停止を行うか否かを選択できる自動停止選択手段をリモコン等に設けると使い勝手が向上する。
【０１２５】
上述した不在検知省エネ制御及び切り忘れ防止制御は、室内機に少なくとも一つの人体検知センサを備えた空気調和機であれば、一つの人体検知センサからの出力に応じて不在検知省エネ制御及び切り忘れ防止制御を行うことができる。
【０１２６】
（各種の機能運転動作制御）
次に、室内機に設けられたタイマーにより、全ての領域に人間が存在しないということが検知された場合、次の各種機能運転動作制御を行う。本実施形態に係る空気調和機において、各種機能運転制御とは、フィルタ清掃、室内熱交換器の乾燥運転、通常運転時より能力向上させた換気運転、通常運転時より能力向上させた空気清浄運転、通常運転時より能力向上させた酸素富化運転の各制御をいう。
【０１２７】
これらの各種機能運転制御は、上記の省エネ制御及び切り忘れ制御と組み合わせて実行されてもよい。例えば、人の不在が検知された所定時間が検知されると、上記の省エネ制御が実行され、さらに時間（例えば、カウント開始後５分程度）において人の不在が確認されると、上記の各機能運転制御を行う。そして、さらに所定時間（例えば、カウント開始後３０分程度）において人の不在が確認されると、既述の省エネ制御及び切り忘れ制御を実行するようにしてもよい。
【０１２８】
また、上記各種機能運転制御は、上記の省エネ制御と組み合わされることなくそれぞれ独立して行われてもよい。上記の各種機能運転制御は、いずれも運転時の騒音が大きかったり、人がいる状態では運転することができない動作を伴うものであり、人間の非検知時に行うことが好ましい。すなわち、上記各機能運転は音の発生が大きく、人の不在時に運転や能力向上運転を実施することで、使用者に騒音を聞かせることがない。また特に、フィルタ清掃、室内熱交換器の乾燥運転は空気調和機の通常運転を停止して行うため、人の不在時に運転を実施することで、使用者に不快感を感じさせないという効果を有する。
【０１２９】
具体的には、人の不在が検知された所定時間が検知されると、通常運転時より能力向上させた換気運転、通常運転時より能力向上させた空気清浄運転、通常運転時より能力向上させた酸素富化運転が実行され、さらに時間（例えば、カウント開始後１５分程度）において人の不在が確認されると、上記の各運転制御のうち少なくとも１つの運転を行う。もちろんこの際、同時に運転可能な運転制御は同時に行ってもよいし、それぞれ所定時間経過もしくは１つの動作が終了するごとに、順次切り替えて運転制御してもよい。このときの運転制御の順序は特に限定されるものではない。
【０１３０】
なお、人非検知時に行う機能運転を選択する基準として、例えば、図示しない汚れセンサと酸素濃度検出センサを用いてもよい。例えば、汚れセンサで検知した汚れセンサ値と汚れ検知継続時間などから算出された室内の汚れ具合に応じて空気清浄運転を行うように制御し、所定時間経過又は汚れセンサ値から算出された室内の汚れ具外が所定範囲内になると空気清浄運転を停止する。
【０１３１】
また、例えば、酸素濃度検出センサより検出された酸素濃度が予め設定された酸素富化領域内になると、酸素富化運転又は換気運転を行う一方、前記センサにより検出された酸素濃度が前記酸素富化領域外になると、前記酸素富化運転を停止するように制御する。なお、酸素濃度検出センサを用いる代わりに二酸化炭素濃度検出センサを用い、検出された二酸化炭素濃度に基づいて、酸素濃度の指標とすることもできる。
【０１３２】
なお、これらの各種機能運転制御を実行している間に、人間の存在を検知した場合は、これらの運転を中止し、通常運転に戻る。
【０１３３】
そして、さらに所定時間（例えば、カウント開始後３０分程度）において人の不在が確認されると、空気調和機の通常運転を停止し、フィルタ清掃、室内熱交換器の乾燥運転を実行する。これらのフィルタ清掃、室内熱交換器の乾燥運転を終了させた後、通常運転を停止するようにしてもよい。
【０１３４】
以下、各機能運転制御を行うための具体的な構成及び動作について説明する。
【０１３５】
（フィルタ清掃運転）
図３２は、図１の空気調和機のフィルタ装置の構成を示す図である。図３２に示されるように、熱交換器６を通過する空気の塵埃を除去するフィルタ装置４０は、フィルタ枠５４と、フィルタ枠５４を保持するフィルタ網５５と、フィルタ網５５の表面に沿って摺動自在の吸引ノズル５６とを備えている。また、フィルタ枠５４、フィルタ網５５等は、折り曲げ形状となっており、上部は水平方向、下部は垂直方向に構成される。吸引ノズル５６はフィルタ枠５４の上下端に設置された一対のガイドレール５４ａにより、フィルタ網５５と極めて狭い間隙を保って円滑に左右に移動することができ、フィルタ網５５上に付着した塵埃は吸引ノズル５６より吸引される。さらに、吸引ノズル５６には吸引ダクト５７の一端が連結され、吸引ダクト５７の他端は吸引装置５８に連結される。吸引装置５８は、吸引量を可変できるように、回転数の調整が可能なファンモータを用いた装置とする。吸引ダクト５７は吸引ノズル５６の移動に差し支えないように折り曲げ可能なダクトで形成される。さらに、吸引装置５８には排気ダクト５９が連結され、室外へ引き回される。フィルタ網５５に付着し、吸引ノズル５６により吸引された塵埃は吸引ダクト５７、吸引装置５８、排気ダクト５９を経由して室外へ排出される。
【０１３６】
次に、図３３乃至図３５を参照しながら吸引ノズル５６について説明する。
図３３は吸引ノズル５６を斜め上方向から見た図であり、図３３に示されるように、吸引ノズル５６は、吸引した風の流通路となるノズル本体６２と、ノズル本体６２を囲むように設けられた幅２０ｍｍのベルト６３から構成される。ノズル本体６２のフィルタ網５５側の面には、３２０ｍｍの長さ（フィルタ網５５の縦長さに相当）で、幅は３ｍｍのスリット状のノズル開口部６２ａが形成されている。一方、ベルト６３はループ状に形成され、ノズル開口部６２ａを覆うようにノズル本体６２の外周に巻き付けられる。ベルト６３には長さ８０ｍｍ（フィルタ網５５の縦長さの１／４）で幅２ｍｍの吸引孔６３ａが設けてあり、吸引孔６３ａの位置はノズル開口部６２ａの真上にくるようにベルト６３は取り付けられる。吸引孔６３ａ側面には、その位置を検知するために指示部６７が設けられる。吸引ノズル５６の内部には、吸引孔センサ２８が、指示部６７と接触するように設けられ、常に指示部６７の位置を検知して吸引孔６３ａの位置を検知することができるようになっている。ベルト６３の両端には映画フィルムのように等間隔の駆動穴６４が設けられており、ノズル本体６２上に固定されたステッピング・モータ６５に取り付けられた歯車６６が、この駆動穴６４にかみ合うことによってベルト６３は上下方向のいずれにも自由に駆動できるようになっている。
【０１３７】
図３４は図３３におけるノズル本体６２とベルト６３を別々にして示した図であり、図５は吸引ノズル５６の断面図である（図３３における線Ｖ−Ｖに沿った断面図）。
【０１３８】
こうした構成の吸引ノズル５６において、ベルトを駆動する別な構成としては、歯車６６を用いずゴムローラなどでベルト６３を駆動する方法も考えられる。また、本発明の実施の形態では、装置の小型化を図るためベルト６３はループ状に形成しているが、リールなどを設けてベルトを巻き取らせる方法などもある。
【０１３９】
本実施の形態においては、上記構成の吸引ノズル５６によりフィルタ網５５の全面の吸引清掃を行うので、その具体的動作について、図３２、図３６乃至図３８を用いて説明する。
【０１４０】
図３６は図３２に図示したフィルタ網５５の清掃範囲Ａ，Ｂ，Ｃ，Ｄに応じた吸引孔６３ａの位置を示した図（吸引ノズル５６を背面から見た図）である。なお、実際の吸引ノズル５６は図３２に示されるように、フィルタ網５５に沿って折れ曲がった構造をとるが、図３６においては見やすくするため吸引ノズル５６を真直に伸ばした状態で記載している。
【０１４１】
まず、図３２におけるフィルタ網５５のＡの範囲を吸引清掃する場合、ベルト６３を駆動して吸引孔６３ａを図３６（ａ）に示されるようにＡの位置に固定する。図３７に示すように、この状態で吸引しながら吸引ノズル５６をフィルタ網５５の右端から左端まで駆動することでフィルタ網５５のＡの水平方向の範囲が吸引清掃できる。
【０１４２】
次に、図３２におけるフィルタ網５５のＢの範囲の吸引清掃に移行するため、ベルト６３を駆動して吸引孔６３ａを図６（ｂ）に示されるＢの位置に固定する。同様に、この状態で吸引しながら吸引ノズル５６をフィルタ網５５の左端から右端まで駆動することで今度は図３２におけるフィルタ網５５のＢの水平方向の範囲が吸引清掃できる。同様にして図３２におけるフィルタ網５５のＣ、Ｄの範囲も吸引清掃できる。図３２におけるフィルタ網５５のＣ、Ｄの範囲は、水平方向に設けられているので、Ａ，Ｂの範囲より塵埃の付着量が多くなり、より多くの吸引量が必要となる。図３７、図３８は、この吸引清掃の順序を矢印で示した図であるが、図３２におけるフィルタ網５５のＡ，Ｂの範囲は、図３７に示されるように水平方向の１列を吸引ノズル５６を１方向にのみ水平移動させて清掃を行い、図３２におけるフィルタ網５５のＣ、Ｄの範囲は、図３８に示されるように水平方向の１列を吸引ノズル５６を両方向に水平移動（往復移動）させて清掃を行う。このような横スイープの吸引動作を行うことでフィルタ網５５の全面を略均一に清掃することができる。
【０１４３】
なお、図３２に示されるように、フィルタ枠５４の両側にはリミットスイッチ６０，６１が設けられており、これらのリミットスイッチ６０，６１に吸引ノズル５６が当接することで、吸引ノズル５６は水平方向に往復移動を行う。
【０１４４】
本実施の形態により、吸引孔６３ａの位置を検知することが可能となり、吸引孔６３ａの位置がフィルタ網５５の上部にある場合は、吸引ノズル５６を往復駆動させ、吸引回数を増やすことにより塵埃の残存を防止することができる。すなわち、位置検知手段としての吸引孔センサ２８により検知された吸引孔６３ａの位置に応じて吸引ノズル５６の清掃能力を変更することで、フィルタ網５５の全面を略均一に清掃することができる。
【０１４５】
また、吸引孔６３ａの位置がフィルタ網５５の上部にある場合は、吸引装置５８の出力を上げ、吸引量を増加することにより塵埃の残存を防止することもできる。この場合、吸引ノズル５６は、図３７に示されるような動作を行って清掃を行う。
【０１４６】
さらに、吸引孔６３ａの位置がフィルタ網５５の上部にある場合は、吸引ノズル５６の水平方向の駆動速度を低下させ、吸引時間を長くすることにより塵埃の残存を防止することもできる。
【０１４７】
なお、図３９に示されるように、ノズル本体６２にフィルタ網５５表面の塵埃付着量を検知する塵埃センサ４０を設け、塵埃センサ４０により検知された塵埃の付着量が多い部分は、吸引孔センサ２８により検知した吸引孔６３ａを当該部分に位置合わせした後、局所的に吸引装置５８の出力を上げ、吸引量を増加したり、局所的に吸引ノズルの水平方向の駆動速度を低下させて吸引時間を長くすることにより塵埃の残存を防止することもできる。すなわち、塵埃検知手段としての塵埃センサ４０により検知された塵埃の付着量に応じて吸引ノズル５６の清掃能力を変更することで、フィルタ網５５の全面を略均一に清掃することができる。
【０１４８】
（換気運転）
図３９は空気調和機のフィルタ装置４０に設けられた吸引装置５８の構造を示している。この吸引装置５８は後述する構成を有することにより、換気運転のための換気ユニットとしても機能する。なお、換気運転は、シロッコファン１０１の回転数を調整することで、換気風量を異ならせて能力の調整を行うことができ、例えば、通常時よりも能力を向上（例えば、２０％）させて換気を行うことができる。また、通常の換気運転は、開口部１０２を通して行う必要はなく、例えば、吸引ノズル５６のノズル開口部６２ａを通じて行うようにしてもよい。
【０１４９】
図３９に示すように、吸引装置本体５８はシロッコファン１０１を内蔵し、シロッコファン１０１をモーターで高速回転させることで吸引力を発揮する。吸引装置本体５８の吸引側には吸引ダクト６０が連結され、排気側には排気ダクト５９が連結される。さらに、吸引装置本体５８の吸引側には開口部１０２が形成されており、開口部１０２の片側にはステッピング・モータ１０３に連結された開閉板１０４が揺動自在に取り付けられている。ステッピング・モータ１０３により開閉板１０４を駆動すると、開口部１０２が開閉する。開閉板１０４の開口部１０２側の表面にはシール材１０５が貼付されており、開口部１０２が開閉板１０４のより閉止されると、開閉板１０４は開口部１０２の周縁と密着する。
【０１５０】
以上のように構成されたフィルタ装置の動作、作用を図３２及び図４０を参照しながら以下説明する。
【０１５１】
吸引装置５８で吸引できる風量は吸引から排気に至る各経路の通風抵抗の合計で決まってくるため、通風抵抗の合計が小さい方が吸引風量が大きくなる。この観点から排気ダクト５９の通風抵抗をより小さくすること、つまり、排気ダクト５９の通風路断面積をより大きくとることが吸引清掃時及び換気運転時の吸引力を高めることにつながる。しかし、排気ダクト５９の通風路断面積をあまりに大きくすると、吸引清掃後に吸引ノズル５６と吸引ダクト５９の内部に堆積した塵埃が排気ダクト５９内で再び堆積する可能性がある。また、吸引装置本体５８のケーシングへの塵埃堆積や、シロッコファン１０１のブレード（羽根）への塵埃の付着も発生する。
【０１５２】
そこで、吸引装置５８に開口部１０２及び開閉板１０４を設け、開口部１０２を開放すると、吸引の風はほとんど全てが開口部１０２から吸引されることになる。開口部１０２の面積は、吸引ノズル５６のノズル開口部６２ａの開口面積よりずっと大きくできるので（吸引装置５８の方が吸引ノズル５６より大きいため）、吸引孔６３ａから吸引される風の風速は遅く、吸引装置５８の通風抵抗は非常に低いものとなる。さらに、吸引ノズル５６と吸引ダクト５７には風は流れないので、吸引孔通風抵抗と吸引ノズル通風抵抗と吸引ダクト通風抵抗は０である。したがって、通風抵抗の合計は排気ダクト５９の通風抵抗だけに近い値となり、非常に低くできる。この結果、シロッコファン１０１の回転数は吸引清掃時と同じであっても、吸引装置５６と排気ダクト５９を流れる風量を著しく増大させることができる。この時の風量は、通常の家屋において換気を行えるほどの風量にもなるので、室内の空気を室外へ排出するすなわち通常時よりも能力を向上させた換気運転をすることができる。この時、吸引装置５６と排気ダクト５９を流れる風量を著しく増大させることができるため、シロッコファン１０１のブレードに付着した塵埃も吹き飛ばすことができ、シロッコファン１０１が塵埃で詰まることもない。
【０１５３】
開閉板１０４を駆動して開口部１０２を開いた時は換気ファンとして吸引装置５８を用い、吸引清掃を行う場合は開口部１０２を閉じて吸引ノズル１４の吸引孔３０から塵埃を吸引する吸引ファンとして吸引装置５８を用いることができる。すなわち、同じ吸引装置５８で吸引清掃機能と換気機能を実現できることになる。
【０１５４】
ところで、開口部１０２の周縁に若干の塵埃が付着して完全に閉まらないようになり吸引漏れを起こし、吸引清掃性能が低下することも考えられるので、開閉板１０４の表面には柔軟に変形し、なおかつ永久変形の少ないシール材１０３を貼付して、吸引漏れを防止している。シール材１０３としては、ＥＰＴ（エチレンプロピレンゴム）等の柔軟な発泡材を用いることができるが、圧縮変形に強い耐性のあるゲル材等を用いても良い。
【０１５５】
図３９及び図４０は開口部１０２の開状態と閉状態をそれぞれ示しており、図３９における白矢印は吸引される風を表し、図４０における白矢印も同様に吸引される風を表している。
【０１５６】
なお、吸引装置５８に用いるファンはシロッコファンの他、ターボファン等を用いることもできるが、換気機能を必要とする場合、風量が大きいシロッコファンを用いるのが好ましい。換気機能を必要としない場合、ターボファンの方が強い吸引力が得られる場合もある。
【０１５７】
（空気清浄運転）
なお、図３２に示すフィルタ装置４０には、高圧導電線が全面に引き回されて配置されており、当該伝染に印加する電圧を調整することで、通常時及び通常時より能力を向上させた空気清浄運転を行うことができる。本実施の形態では、通常時においては高圧導電線に＋３ｋＶの電圧を印加すると共に、能力を向上させた空気清浄運転時には、＋６ｋＶの電圧を印加する。すなわち、フィルタ装置４０は、吸着用のフィルタを帯電させて吸着部の能力を向上させることにより集塵効率を向上させることができ、高圧導電線に印加される電圧を調整することにより、空気清浄運転の能力を調整することができる。
【０１５８】
また、ファン８の回転数を調整することにより空気清浄運転の能力を調整することができる。例えば、室内に吹き出す風量を増加すること、例えば、ファン８の回転数を大きくすることで、通常時より能力を向上させた空気清浄運転を行うことができる。本実施の形態では、通常時においては、ファン回転数を９００から１２００ｒｐｍとすると共に、能力を向上させた空気清浄機の運転時は、ファン回転数を例えば、１５００ｒｐｍとすればよい。
【０１５９】
（酸素ガス富化運転）
上記のように本実施形態にかかる空気調和機は、酸素ガス富化運転を行うための構成として、選択性ガス透過膜である酸素富化膜を備えたガス富化ユニット４６と、ガス富化ユニット４６の二次側を減圧する減圧ポンプ４７と、ガス富化ユニット４６と減圧ポンプ４７とを通気可能に連結する酸素供給主管４８と、減圧ポンプ４７の吐出側に連結された吐出主管４９を備えている。
【０１６０】
送風管４０は、吐出主管４９と吐出口４２とを接続する配管であり、室外機１から導出し室内機２内に導入されている。また送風管５３の一部はトラップ構成５３ａを有している。なお、ガス富化ユニット４６の１次側（大気側）には、滞留する窒素富化空気を掃気するためのファン（図示せず）を配置しておき、酸素ガス富化装置の運転及び運転能力に連動して動作させるとよい。
【０１６１】
なお、ガス富化ユニット４６を、室外機１のファン４５を有する送風回路内に配置し、ファン４５の送風によってガス富化ユニット４６の１次側の窒素富化空気を掃気するようにしてもよい。またガス富化ユニット４６、減圧ポンプ４７、酸素供給主管４８及び吐出主管４９は、独立したユニットとして構成して、室外機１の枠体に装着する構成としてもよい。
【０１６２】
吐出口４２は、室内機２の筐体内部またはその付近に配置され、室内機２内の送風回路中に配置される場合には、ファン８の動作により吹き出される送風に酸素富化空気が添加されて吹き出し口より室内空間に送出される。また吐出口４２は、その近傍に拡管部を有することが好ましく、本実施例では吐出口４２を拡管部とした構成を示している。このように拡管部を設けることで、押し出された氷結や結露水を吐出口４２からまき散らすことなく、拡管部で一旦受けることで融解・蒸発を促すことができる。なお本実施例に示すように、熱交換器６の風回路の上流側で、熱交換器６の上方に吐出口４２を設けることでも結露水などの飛散を防止することができる。
【０１６３】
酸素ガス富化運転では、減圧ポンプ４７が運転されると、ガス富化ユニット４６内で酸素富化膜を通過した空気は、酸素供給主管４８を通過して減圧ポンプ４７に吸い込まれ、酸素富化された空気が吐出主管４９、送風管４０を順次通過して吐出口４２から室内機２内に送出される。この減圧ポンプ４７の能力を調整することで、酸素ガス富化運転の能力を調整することができる。具体的には、能力を向上させる場合、当該減圧ポンプ４７の能力を２０％程度向上させればよい。また、滞留する窒素富化空気を掃気するためのファン（図示せず）の能力についても、酸素ガス富化の運転能力に連動して動作させることもできる。
【０１６４】
（乾燥運転）
図４２は、本実施形態の空気調和装置の冷凍サイクル図である。同図に示すように、圧縮機Ｃ、四方弁６９、室外熱交換器８０Ａ、絞り装置９３、室内熱交換器８０Ｂをそれぞれ配管を介して環状に接続している。ここで、圧縮機Ｃ、四方弁６９、室外熱交換器８０Ａ、絞り装置９３は室外機１に設けられ、室内熱交換器８０Ｂは室内機２に設けられている。室外機１と室内機２とは、液側接続配管９０とガス側接続配管８１とで接続されている。液側接続配管９０は、液側室外バルブ８１と液側室内バルブ８２によって接続され、ガス側接続配管８１は、ガス側室外バルブ８８とガス側室内バルブ８９によって接続されている。なお、冷凍サイクルを構成する配管は、圧縮機Ｃと四方弁６９とを接続する配管７１、四方弁６９と室外側熱交換器８０Ａを接続する配管７２、室外側熱交換器８０Ａと絞り装置９３を接続する配管９１、絞り装置９３と液側室外バルブ８１を接続する配管９２、液側室内バルブ８２と室内熱交換器８０Ｂを接続する配管９３、室内熱交換器８０Ｂとガス側室内バルブ８９を接続する配管７３、ガス側室外バルブ８８と四方弁６９を接続する配管８５、四方弁６９と圧縮機Ｃを接続する配管８６とより構成される。ここで、液状態の占める割合の多い配管９１、９２、９３を液側配管とし、ガス状態の占める割合の多い配管８２、８３、８４、８５、８６をガス側配管とする。冷房運転と暖房運転との選択的な切り替えは、四方弁６９を切り替えて冷媒の流れを変化させることにより行われる。図中、実線で示す矢印は冷房運転時の冷媒の流れ方向を示し、破線で示す矢印は暖房運転時の冷媒の流れ方向を示す。
【０１６５】
乾燥運転は、空気調和機の冷房運転によって結露等が生じた熱交換器６を乾かすために暖房運転を行うものであり、乾燥運転時に四方弁６９を切り換えることによって実行される。すなわち、一旦、圧縮機Ｃを停止した後、四方弁６９を切り替え暖房運転のサイクルで運転し、室内熱交換器６の温度を上昇させ冷房、冷房運転又は除湿運転時に室内熱交換器６に保水した水分を蒸発させる。また、例えば、まず送風、次にサイクル除湿、さらに暖房運転と、順次運転を切り替えて室内熱交換器乾燥するなど、送風、サイクル除湿、暖房運転を組合わせることで、蒸気の発生や熱交換器以外の部位での結露を抑制しながら行うようにしてもよい。
【０１６６】
本実施形態にかかる空気調和機は、上記の各運転制御をセンサによる人の非検知時に行うことができるので、音の発生が大きくなる能力を向上させた運転を人の不在時に実施することで、使用者に騒音を聞かせない。また特に、フィルタ清掃、室内熱交換器の乾燥運転は空気調和機の通常運転を停止して行うため、人の不在時に運転を実施することで、使用者に不快感を感じさせることがない。
【０１６７】
なお、上記様々な実施形態のうちの任意の実施形態を適宜組み合わせることにより、それぞれの有する効果を奏するようにすることができる。また、本発明は上記実施形態に限定されるものではなく、その他種々の態様で実施可能である。例えば、人の存在を検知するためのセンサユニットは、１つのセンサを有するものであってもよい。
【産業上の利用可能性】
【０１６８】
本発明にかかる空気調和機は、人がいない場合に、省エネ運転及び、騒音が発生しやすい能力向上させた運転及び人がいては実行できない運転を自動で行うこととしたので、例えば、家庭用空気調和機として有用である。
【図面の簡単な説明】
【０１６９】
【図１】本発明にかかる空気調和機の室内機を示しており、（ａ）は正面図、（ｂ）は上部に設けられた人体検知装置のカバーを取り外した状態の正面図、（ｃ）は側面図
【図２】前面パネルが前面開口部を開放した状態の図１（ｂ）の室内機を示しており、（ａ）は斜視図、（ｂ）は側面図
【図３Ａ】図１の室内機の縦断面図
【図３Ｂ】図１の空気調和機の接続関係を示す図
【図４】人体検知装置を示しており、（ａ）は正面図、（ｂ）は側面図、（ｃ）は斜視図
【図５】人体検知装置の取付位置の変化に基づく視野範囲の変化を示す概略図
【図６】任意の球の表面上に人体検知装置を構成するセンサユニットを設けた場合の室内機の側面図
【図７】任意の球を任意の平面で切り取り、この平面とセンサユニットの光軸との交点にセンサユニットを設けた場合の室内機の側面図
【図８】図７のセンサユニットの正面図
【図９】人体検知装置に設けられた各センサユニットで検知される人体位置判別領域を示す概略図
【図１０】三つのセンサユニットにより検知される領域区分の概略図
【図１１】図９に示される各領域に領域特性を設定するためのフローチャート
【図１２】図９に示される各領域における人の在否を最終的に判定するフローチャート
【図１３】各センサユニットによる人の在否判定を示すタイミングチャート
【図１４】図１の室内機が設置された住居の概略平面図
【図１５】図１４の住居における各センサユニットの長期累積結果を示すグラフ
【図１６】図１の室内機が設置された別の住居の概略平面図
【図１７】図１６の住居における各センサユニットの長期累積結果を示すグラフ
【図１８】図１の室内機に設けられた上下羽根の作動状態を示す室内機の縦断面図
【図１９】図９に示される各領域の空調を行う場合のファンの設定回転数を示す概略図
【図２０】図９に示される各領域の暖房を行う場合の上下羽根と左右羽根の設定角度を示す概略図
【図２１】図９に示される各領域の冷房を行う場合の立ち上がりあるいは不安定時の上下羽根と左右羽根の設定角度を示す概略図
【図２２】図９に示される各領域の冷房を行う場合の安定時の上下羽根と左右羽根の設定角度を示す概略図
【図２３】空調すべき領域の数に応じて行われる風向制御を示すフローチャート
【図２４】二つの領域を空調する場合の配置モードを示す概略図
【図２５】三つの領域を空調する場合の配置モードを示す概略図
【図２６】室内機を左側壁の近傍に設置した場合の生活領域と非生活領域の判定方法を示す室内の概略図
【図２７】室内機を左側壁の近傍に設置した場合の生活領域と非生活領域の別の判定方法を示す室内の概略図
【図２８】室内機を左側壁の近傍に設置した場合の生活領域と非生活領域のさらに別の判定方法を示す室内の概略図
【図２９】暖房時の温度制御を示すタイミングチャート
【図３０】冷房時の温度制御を示すタイミングチャート
【図３１】ファンの風量と室外機に設けられた圧縮機の能力を制御することにより省電力運転を達成する場合のタイミングチャート
【図３２】図１の室内機に設けられたフィルタ装置の斜視図
【図３３】図３２のフィルタ装置に設けられた吸引ノズルの斜視図
【図３４】図３３の吸引ノズルの分解斜視図
【図３５】図３３における線Ｖ−Ｖに沿った断面図
【図３６】フィルタ網の清掃範囲に応じた吸引孔の位置を示す模式図であり、（ａ）は範囲Ａを清掃する場合の吸引孔の位置を、（ｂ）は範囲Ｂを清掃する場合の吸引孔の位置を、（ｃ）は範囲Ｃを清掃する場合の吸引孔の位置を、（ｄ）は範囲Ｄを清掃する場合の吸引孔の位置をそれぞれ示している。
【図３７】フィルタ装置の吸引清掃順序を示した模式図
【図３８】フィルタ装置の吸引清掃順序を示した別の模式図
【図３９】図３３における線Ｖ−Ｖに沿った断面図であり、特に吸引ノズルの変形例を示している。
【図４０】開口部が開状態にある吸引装置の構成例を示す模式図
【図４１】開口部が閉状態にある吸引装置の構成例を示す模式図
【図４２】図１の空気調和装置の冷凍サイクル図
【符号の説明】
【０１７０】
１    室外機
２    室内機
２ａ  前面開口部
２ｂ  上面開口部
４    可動前面パネル
５    カバー
６    熱交換器
８    ファン
１０  吹出口
１２  上下羽根
１４  中羽根
１６  中羽根駆動機構
１８，２０，２２，２４  アーム
２６，２８，３０，３２，３４  センサユニット
２６ａ，２８ａ，３０ａ，３２ａ，３４ａ  回路基板
２６ｂ，２８ｂ，３０ｂ，３２ｂ，３４ｂ  レンズ
３６  センサホルダ
【図１】
2008224133.tif 000011
【図２】
2008224133.tif 000012
【図３Ａ】
2008224133.tif 000013
【図３Ｂ】
2008224133.tif 000014
【図４】
2008224133.tif 000015
【図５】
2008224133.tif 000016
【図６】
2008224133.tif 000017
【図７】
2008224133.tif 000018
【図８】
2008224133.tif 000019
【図９】
2008224133.tif 000020
【図１０】
2008224133.tif 000021
【図１１】
2008224133.tif 000022
【図１２】
2008224133.tif 000023
【図１３】
2008224133.tif 000024
【図１４】
2008224133.tif 000025
【図１５】
2008224133.tif 000026
【図１６】
2008224133.tif 000027
【図１７】
2008224133.tif 000028
【図１８】
2008224133.tif 000029
【図１９】
2008224133.tif 000030
【図２０】
2008224133.tif 000031
【図２１】
2008224133.tif 000032
【図２２】
2008224133.tif 000033
【図２３】
2008224133.tif 000034
【図２４】
2008224133.tif 000035
【図２５】
2008224133.tif 000036
【図２６】
2008224133.tif 000037
【図２７】
2008224133.tif 000038
【図２８】
2008224133.tif 000039
【図２９】
2008224133.tif 000040
【図３０】
2008224133.tif 000041
【図３１】
2008224133.tif 000042
【図３２】
2008224133.tif 000043
【図３３】
2008224133.tif 000044
【図３４】
2008224133.tif 000045
【図３５】
2008224133.tif 000046
【図３６】
2008224133.tif 000047
【図３７】
2008224133.tif 000048
【図３８】
2008224133.tif 000049
【図３９】
2008224133.tif 000050
【図４０】
2008224133.tif 000051
【図４１】
2008224133.tif 000052
【図４２】
2008224133.tif 000053
【手続補正書】
【提出日】平成20年1月8日(2008.1.8)
【手続補正１】
【補正対象書類名】特許請求の範囲
【補正対象項目名】全文
【補正方法】変更
【補正の内容】
【特許請求の範囲】
【請求項１】
室内機に設けられた人体検知センサにより、人の在否を検知して運転を制御する空気調和器であって、
前記室内機に複数の人体検知センサを設け、空調すべき領域を前記複数の人体検知センサにより複数の領域に区分し、前記複数の領域の各々に対して第１の所定時間の前記複数の人体検知センサの反応結果に応じて領域特性を設定し、前記領域特性によって、前記複数の領域は、少なくとも、人のいる時間が長い領域特性の第１の領域と、前記第１の領域より人のいる時間が短い領域特性の第２の領域とに分類され、
第２の所定時間の前記複数の人体検知センサの反応結果に応じて
前記第１の領域で人の在を検知した場合、前記第２の領域より短い時間間隔で人の存在が推定されるのに対し、前記第１の領域で人の不在を検知した場合、前記第２の領域より長い時間間隔で人の不存在を推定することにより、
前記第１の領域は前記第２の領域に対して、在推定に要する時間を短く、不在推定に要する時間は長く設定されるようにし、
通常運転中、第３の所定時間前記人体検知センサにより人の不在を検知すると、通常運転時より能力向上させた換気運転、通常運転時より能力向上させた空気清浄運転、通常運転時より能力向上させた酸素富化運転の少なくとも一つを実施し、前記第３の所定時間より長い第４の所定時間前記人体検知センサにより人の不在が確認されると、フィルタ清掃、室内熱交換器の乾燥運転の少なくとも一つを実施することを特徴とする、空気調和器。
【請求項２】
通常運転時より能力向上させた換気運転、空気清浄運転、又は、酸素富化運転の各運転中に前記人体検知センサにより人の存在を検知した場合には、前記通常運転状態に復帰させることを特徴とする請求項１に記載の空気調和機。
【請求項３】
酸素濃度を検出可能なセンサと、
前記センサにより検出された酸素濃度が予め設定された酸素富化領域内になると、前記酸素富化運転を行う一方、前記センサにより検出された酸素濃度が前記酸素富化領域外になると、前記酸素富化運転を停止するように制御することを特徴とする、請求項１又は２に記載の空気調和機。
【請求項４】
空気清浄度を検出可能な汚れ検知センサと、
前記センサにより検出された空気清浄度が予め設定された空気清浄領域内になると、前記空気清浄運転を行う一方、前記センサにより検出された空気清浄度が前記空気清浄領域外になると、前記空気清浄運転を停止するように制御することを特徴とする、請求項１から３のいずれか１つに記載の空気調和機。
【手続補正２】
【補正対象書類名】明細書
【補正対象項目名】０００９
【補正方法】変更
【補正の内容】
【０００９】
上記目的を達成するために、本発明のうちで請求項１に記載の発明は、室内機に設けられた人体検知センサにより、人の在否を検知して運転を制御する空気調和器であって、
前記室内機に複数の人体検知センサを設け、空調すべき領域を前記複数の人体検知センサにより複数の領域に区分し、前記複数の領域の各々に対して第１の所定時間の前記複数の人体検知センサの反応結果に応じて領域特性を設定し、前記領域特性によって、前記複数の領域は、少なくとも、人のいる時間が長い領域特性の第１の領域と、前記第１の領域より人のいる時間が短い領域特性の第２の領域とに分類され、
第２の所定時間の前記複数の人体検知センサの反応結果に応じて
前記第１の領域で人の在を検知した場合、前記第２の領域より短い時間間隔で人の存在が推定されるのに対し、前記第１の領域で人の不在を検知した場合、前記第２の領域より長い時間間隔で人の不存在を推定することにより、
前記第１の領域は前記第２の領域に対して、在推定に要する時間を短く、不在推定に要する時間は長く設定されるようにし、
通常運転中、第３の所定時間前記人体検知センサにより人の不在を検知すると、通常運転時より能力向上させた換気運転、通常運転時より能力向上させた空気清浄運転、通常運転時より能力向上させた酸素富化運転の少なくとも一つを実施し、前記第３の所定時間より長い第４の所定時間前記人体検知センサにより人の不在が確認されると、フィルタ清掃、室内熱交換器の乾燥運転の少なくとも一つを実施することを特徴とする。